(57)【要約】  建造物のための自動作動洪水ガードは、建造物への接続のために適合される側面に位置する離間した垂直境界壁の間で地面から離間した高さに浮揚ゲートを保持する。その高さより上の水の上昇で境界壁の間での上向きの浮揚回転のために、ゲートは境界壁に対して垂直な水平軸について旋回部材の上で旋回可能である。任意的に、ゲートの側部に沿う可撓なリップ封止ガスケットが境界壁を封止的に拭い、ゲートの基部に沿う旋回部材に亘る可撓なストリップガスケットがゲートの基部と建造物との間の水の通過を阻止する。抑制体がゲートに対して作用し、ゲートが前記高さより上に上向きに旋回されるときに、ゲートが所定の程度よりも多く軸について回転することを防止する。
2013534282.tif 000002
【特許請求の範囲】
【請求項１】
建造物のための自動作動洪水防護ユニットであって、
浮揚ゲートと、
第１の垂直境界壁と、
第２の垂直境界壁と、
旋回部材とを含み、
前記浮揚ゲートは、近位側部と、遠位側部と、横方向側部と、近位側部から遠位側部までの高さと、横方向側部の間の幅とを有し、
前記第１の垂直境界壁は、前記壁のある端部での前記建造物への接続のために適合され、
前記第２の垂直境界壁は、前記ゲートの前記幅を収容するのに少なくとも十分な距離で前記第１の境界壁から離間して、前記第２の境界壁のある端部での前記建造物への接続のために適合され、
前記旋回部材は、前記建造物への接続のために適合される固定部材と、該固定部材に移動可能に連結される可動部材とを含み、該可動部材は、前記ゲートの前記近位側部に接続され、前記境界壁に対して垂直な水平軸について旋回可能であり、
前記高さより上への水の上昇に基づき、前記ゲートを境界壁の間で前記軸について回転的に上向きに旋回させて、前記ゲートを浮揚的に持ち上げるために、前記部材は、前記ゲートの前記近位側部を、地面から離間した選択的な高さで、前記境界壁の間に配置する、
洪水防護ユニット。
【請求項２】
前記距離は、前記ゲートの各横方向側部と前記隣接する境界壁との間にある間隙をもたらすのに十分な前記ゲートの前記幅よりも広く、前記間隙は、前記間隙を封止するための可撓なリップ封止ガスケットの収容のために適しており、
前記ゲートの前記横方向側部に沿い、且つ、前記境界壁を封止的に拭い且つ前記間隙を封止して前記間隙を通じる水の通過を阻止するのに十分な幅を有する、可撓なリップ封止ガスケットを更に含む、
請求項１に記載の洪水防護ユニット。
【請求項３】
前記建造物と前記ゲートの前記近位側部との間の水の通過を阻止するために、前記ゲートの前記近位側部に沿って前記旋回部材に亘る可撓なストリップガスケットを更に含む、請求項１に記載の洪水防護ユニット。
【請求項４】
前記ゲートが前記高さよりも上に上向きに旋回されるとき、前記ゲートが所定の程度よりも多く前記軸について回転するのを防止するよう前記ゲートに対して作用するための抑制体を更に含む、請求項１に記載の洪水防護ユニット。
【請求項５】
前記ゲートが前記軸について回転するのを制約されるとき、前記抑制体は、前記ゲートに対して作用する水力からのゲート屈曲モーメントに抗するのに効果的である、請求項４に記載の洪水防護ユニット。
【請求項６】
前記抑制体は、前記地面に固着される張力部材を含む、請求項４に記載の洪水防護ユニット。
【請求項７】
前記所定の程度は、実質的に垂直である、請求項４に記載の洪水防護ユニット。
【請求項８】
前記抑制体は、前記水平軸より上のある距離で前記建造物に接続され、前記ゲートが実質的に垂直向きに回転させられるのを可能にする、請求項４に記載の洪水防護ユニット。
【請求項９】
前記建造物への接続のための水平フレーム部材を更に含み、該フレーム部材は、前記境界壁の間で、前記固定旋回部材を前記建造物に接続する、請求項１に記載の洪水防護ユニット。
【請求項１０】
前記水平フレーム部材は、前記境界壁への支持をもたらす、請求項９に記載の洪水防護ユニット。
【請求項１１】
建造物の垂直壁の開口を防護するための請求項２に記載の洪水防護ユニットであって、前記開口は、底部と、横方向側部と、頂部とを有し、当該ユニットは、前記開口の前記横方向側部に隣接した前記建造物への接続のための一対の離間した垂直フレーム部材と、前記開口の前記頂部より上での前記建造物への接続のための上方水平フレーム部材と、前記開口の前記底部より下での前記建造物への接続のための下方水平フレームとを更に含み、前記垂直部材は、各々、前記境界壁の内向きに、細長い垂直圧縮ガスケットを支持し、前記上方水平部材は、前記境界壁の間で、細長い水平圧縮ガスケットを支持する、洪水防護ユニット。
【請求項１２】
前記建造物と前記ゲートの前記近位側部との間の水の通過を阻止するために、前記ゲートの前記近位側部に沿って前記旋回部材に亘る可撓なストリップガスケットを更に含む、請求項１１に記載の洪水防護ユニット。
【請求項１３】
前記下方水平フレーム部材は、前記境界壁の間で、前記固定旋回部材を前記建造物に接続する、請求項１２に記載の洪水防護ユニット。
【請求項１４】
前記下方水平フレーム部材は、前記境界壁に支持をもたらす、請求項１３に記載の洪水防護ユニット。
【請求項１５】
水体に隣接する海岸を防護するための請求項１に記載の複数の洪水防護ユニットであって、前記地面は海岸線の水側で普通は浸水される地面であり、当該洪水防護ユニットは、連続的な組の前記ユニットを含み、１つの前記垂直境界壁が第１の端壁を前記組にもたらし、他の境界壁が第２の端壁を前記組にもたらし、少なくとも１つの中間境界壁が前記端壁の間に配置され、第１の端部ゲートが、前記第１の端壁と隣の隣接する中間境界壁との間に配置され、第２の端部ゲートが、前記第２の端部ゲートと隣の隣接する境界壁との間に配置される、洪水防護ユニット。
【請求項１６】
水体に隣接する海岸を防護するための請求項１に記載の複数の洪水防護ユニットであって、前記地面は海岸線の水側で普通は浸水される地面であり、当該洪水防護ユニットは、並んで配置される隣接する組の前記ユニットを含み、隣の隣接するユニットの隣の隣接する境界壁は、海岸線に沿って並ぶ建造物から上昇する垂直部材に接続される、洪水防護ユニット。
【請求項１７】
海岸線に沿って並ぶ建造物より上への隣接する水体の上昇に基づく洪水から海岸を保護するための連続的な自動作動洪水防護ユニットの組であって、
各防護ユニットは、
浮揚ゲートを含み、該浮揚ゲートは、近位側部と、遠位側部と、横方向側部と、前記近位側部から前記遠位側部までの高さと、前記横方向側部の間の幅とを有し、
第１の垂直境界壁を含み、該第１の垂直境界壁は、前記建造物に接続され、
第２の垂直境界壁を含み、該第２の垂直境界壁は、前記ゲートの前記幅を収容するのに少なくとも十分な距離で前記第１の垂直境界壁から離間して前記建造物に接続され、
前記建造物への取り付けのための水平フレーム部材を含み、
旋回部材を含み、該旋回部材は、前記水平フレーム部材に接続される固定部材と、該固定部材に移動可能に連結される可動部材とを含み、該可動部材は、前記ゲートの前記近位側部に接続され、前記境界壁に対して垂直な水平軸について旋回可能であり、前記部材は、前記高さより上への水の上昇に基づき前記ゲートを境界壁の間で前記軸について回転的に上向きに旋回させて前記ゲートを浮揚的に持ち上げるために、前記ゲートの前記近位側部を、前記建造物の水側で普通は浸水される地面より上の選択的な高さで、前記境界壁の間に配置し、
張力部材を含み、該張力部材は、前記ゲートが前記高さより上に上向きに旋回されるときに、前記ゲートが所定の程度より多く前記軸について回転することを阻止するよう前記ゲートに対して作用するために前記ゲートに取り付けられ且つ前記地面に固着され、
当該ユニットの組は、第１の端壁を当該組にもたらす１つの前記垂直境界壁と、第２の端壁を当該組にもたらす他の境界壁とを含み、少なくとも１つの境界壁は、前記端壁の中間に配置され、第１の端部ゲートが前記第１の端壁と隣の隣接する中間境界壁との間に配置され、第２の端部ゲートが前記第２の端壁と隣の隣接する境界壁との間に配置される、
連続的な自動作動洪水防護ユニッとの組。
【請求項１８】
前記建造物に接続される前記第２の垂直境界壁は、前記ゲートの各横方向側部と前記隣接する境界壁との間にある間隙をもたらす前記ゲートの前記幅よりも広い距離で、前記第１の垂直境界壁から離間し、前記間隙は、前記間隙を封止するための可撓なリップ封止ガスケットの収容に適し、
前記ゲートの前記横方向側部に沿い、且つ、前記境界壁を封止的に拭い且つ前記間隙を封止して前記間隙を通じる水の通過を阻止するのに十分な幅を有する、可撓なリップ封止ガスケットを更に含む、
請求項１７に記載の連続的な自動作動洪水防護ユニッとの組。
【請求項１９】
前記建造物と前記ゲートの前記近位側部との間の水の通過を阻止するために、前記ゲートの前記近位側部に沿って前記旋回部材に亘る可撓なストリップガスケットを更に含む、請求項１８に記載の連続的な自動作動洪水防護ユニッとの組。
【請求項２０】
建造物の垂直壁内の地面から離間する開口を通じた上昇する表面水の進入を拒絶するための自動作用洪水ガードであって、
前記開口は、幅と、底部、横方向側部、及び頂部を含む制限縁とを有し、
当該ガードは、
浮揚ゲートを含み、該浮揚ゲートは、基部と、近位側部と、頂部と、上方面と、下面とを有し、且つ、前記開口に近接して垂直に位置付けられるときに前記開口を閉塞するのに十分な、側部から側部までの幅と、底部から頂部までの高さとを有し、
前記建造物への接続のための第１の垂直境界壁を含み、
前記ゲートの各横方向側部と前記隣接する境界壁との間にある間隙をもたらす前記ゲートの前記幅よりも広い距離で前記第１の垂直境界壁から離間した、前記建造物への接続のための第２の垂直境界壁を含み、前記間隙は、前記間隙を封止するための可撓なリップ封止ガスケットの収容に適し、
前記開口の前記横方向側部に隣接する前記建造物への接続のための一対の離間した垂直フレーム部材、即ち、前記開口の頂部より上での前記建造物への接続のための上方水平フレーム部材と、前記開口の底部より下での前記建造物への接続のための下方水平フレーム部材とを含み、前記垂直部材は、各々、前記境界壁の内側に細長い垂直な圧縮ガスケットを支持し、前記上方水平部材は、前記境界壁の間で細長い水平圧縮ガスケットを支持し、
旋回部材を含み、該旋回部材は、前記下方水平フレーム部材に接続される固定部材と、該固定部材に移動可能に連結される可動部材とを含み、該可動部材は、前記ゲートの前記基部に接続され、前記境界壁に対して垂直な水平軸について旋回可能であり、前記部材は、前記高さより上への水の上昇に基づき前記ゲートを境界壁の間で前記軸について回転的に上向きに旋回させて前記ゲートを浮揚的に持ち上げるために、前記ゲートの前記基部を、前記地面から離間した選択的な高さで、前記境界壁の間に配置し、
前記ゲートの前記横方向側部に沿い、前記境界壁を封止的に拭うのに十分な幅を有する、可撓なリップ封止ガスケットを含み、
前記ゲートの前記基部に沿って並びに前記下方水平支持部材に沿って固定される前記旋回部材に亘る可撓なストリップガスケットを含み、
水が前記地面より十分に上に上昇して前記ゲートを前記開口に向かって前記旋回軸について回転的に上向きに浮揚させるとき、前記リップガスケット及び前記ストリップガスケットは協働して、前記ゲートと前記境界壁との間と前記下方水平フレーム部材との間の開口内への水の進入を阻止し、
前記ゲートの下方面に対する静水力が前記ゲートを前記垂直圧縮ガスケット及び前記水平圧縮ガスケットに抗して押圧するのに効果的であるとき、前記垂直圧縮ガスケット及び前記水平圧縮ガスケットは、少なくとも前記ストリップガスケットと協働して、水の進入を阻止する、
自動作用洪水ガード。
【請求項２１】
前記垂直フレーム部材は、前記境界壁を前記建造物に接続する、請求項１８に記載の洪水ガード。
【請求項２２】
前記下方水平部材は、前記境界壁への支持をもたらす、請求項１８に記載の洪水ガード。
【請求項２３】
前記第１の垂直境界壁、前記第２の垂直境界壁、前記一対の離間した垂直フレーム部材、前記上方水平フレーム部材、及び前記下方水平フレーム部材は、全て前記建造物に接続される、請求項１８に記載の洪水ガード。
【発明の詳細な説明】
【技術分野】
【０００１】
この発明は建造物のための洪水ガードに関する。
【背景技術】
【０００２】
ドア及び他の基準面レベル開口は、自動作動するゲートによって水の進入から保護される。本発明の発明者による米国特許第６，６２３，２０９号及び第７，１０１，１１４号を参照。水閉込めバリアをもたらすよう支柱の間に相互接続可撓シートを使用する自己昇降支柱によって覆われた川岸が記載されている。米国特許第４，３７７，３５２号を参照。
【０００３】
洪水の水は物的損害の主要な原因である。洪水の水は、ハリケーンによって引き起こされる暴風雨のうねりのような水体(body of water)からの水の上昇に由来し、雪解け又は大雨から洪水位より上に上昇する川の増水に由来し、或いは、排水システムを圧倒する雨の持続に起因する地表面で蓄積し且つ上昇する水に由来し得る。洪水の水が建物及び他の建造物を浸水し或いは浸潤するのを防止する必要が存在し続けている。
【０００４】
水体の岸にある建物は特に無防備である。暴風雨のうねり又は洪水の水の上昇を抑えるよう組立て鋼又はコンクリート壁又は畦を岸辺に恒久的に架設することを提案する解決策は費用が嵩み、実現可能であるとしても、そもそも、多くの場合には美しい地域の風景を恒久的に損ない、水体付近の建物の架設を引き寄せる水体の所望の開放眺望を遮り、そこへのアクセスを妨げる。そのような費用の嵩む望ましくない解決策は実現不可能であることさえもある。防水壁及び防潮壁での零位線の故に、建物と海岸線との間の固定壁又は畦のような恒久的な改良物のために利用可能な空間がないことがあり得る。換言すれば、建物が防潮壁又は防水壁の直ぐ上にあることがあり、高さの２倍の幅であることが必要であることが典型的な畦を置く空間がないことがある。
【０００５】
岸辺の建物を保護することに加え、現在の解決策によって満足されない建造物中の垂直壁の地上開口の自動作動保護のための低コストの解決策が望まれている。
【発明の概要】
【発明が解決しようとする課題】
【０００６】
本発明の目的は従来技術の上記問題点を解決することである。
【課題を解決するための手段】
【０００７】
例示的な実施態様の以下の詳細な記載では、添付の図面を参照する。図面は詳細な記載の一部を形成し、図面は本発明を実施し得る例示的な実施態様の実施例が例示によって示している。図面及び記載中、同等又は対応する部分を、明細書及び図面を通じて同じ参照番号で記す。必ずしも原寸通りに図面を描写していない。本発明の特定の機能を誇張した尺度で或いは幾分概略的な形態で示し得る。明瞭性及び簡潔性のために従来的な素子の一部の詳細を示さない場合がある。
【図面の簡単な説明】
【０００８】
【図１】本発明の例示的な実施態様を示す端面図であり、海岸の海岸線に隣接する建造物で、隣接する組内に据え付けられる実施態様のユニットを示している。
【図２】図１の例示的な実施態様を示す頂面図であり、海岸の海岸線に隣接する建造物で、隣接する組内に据え付けられる実施態様のユニットを同様に示している。
【図３】図１の実施態様を示す斜視図であり、隣接するユニットを破線で示している。
【図４】他の例示的な実施態様を示す斜視図であり、海岸の海岸線に隣接するようなユニットの代替的な構成を示しており、隣接するユニットを破線で示している。
【図５】図６中の線５−５に沿って取られた図１の例示的な実施態様を示す断面図である。
【図６】図２の図面の一部を拡張した、図５中の線６−６に沿って取られた平面図である。
【図７】破線の輪郭によって示され且つ番号７によって示される図５の部分の拡大図である。
【図８】破線の輪郭によって示され且つ番号８によって示される図９の部分の拡大図である。
【図９】水体の上の通常の非上昇位置にある洪水ガードゲートを示す図５中の線９−９に沿って取られた側断面図である。
【図１０】水体の上昇によって引き起こされた上昇位置にある洪水ガードゲートを示す図９と同様の側断面図である。
【図１１】建造物の垂直壁内の開口を防護するための実施態様の実施例を示す本発明の他の例示的な実施態様の斜視図である。
【図１２】図１４中の線１２−１２からの図１１の例示的な実施態様の平面図である。
【図１３】破線の輪郭によって示され且つ番号１３によって示される図１２の部分の拡大図である。
【図１４】図１２中の線１４−１４に沿って取られた図１１の例示的な実施態様を示す正面断面図である。
【図１５】破線の輪郭によって示され且つ番号１５によって示される図１４の部分の拡大図である。
【図１６】通常の非上昇位置にある洪水ガードゲートを示す図１４の線１６−１６に沿って取られた図１１の実施態様の側断面図である。
【図１７Ａ】破線の輪郭によって示され且つ番号１７Ａによって示される図１６の部分の拡大図である。
【図１７Ｂ】破線の輪郭によって示され且つ番号１７Ｂによって示される図１６の部分の拡大図である。
【図１８】図１６と同様な図１１の実施態様の側断面図であり、表面水の上昇によって引き起こされた上昇位置にある洪水ガードゲートを示している。
【発明を実施するための形態】
【０００９】
要約中に述べるものを含む、ここに記載する特別な詳細は、あらゆる場合において、本発明の着想を実施し得る具体的な方法を表す実施態様の非限定的な記載及び実例である。これはそれらの着想と一致する実質的にあらゆる適切に詳説されるシステム、構成、又は方法において本発明を利用することを当業者に教示する働きをする。この明細書を通じての「ある実施態様」への言及は、その実施態様との関係で記載する特定の機能、構成、又は特徴が、本発明の少なくとも１つの例示的な実施態様に含まれることを意味する。よって、この明細書を通じた様々な場所における「ある例示的な実施態様において」の成句又は類字の表現の出現は、必ずしも全て同じ実施態様に言及していない。更に、特定の機能、構成、又は特徴を１つ又はそれよりも多くの実施態様において任意の適切な方法において組み合わせ得る。特別に記載する実施態様及びそれらの実施態様の詳細への様々な変更及び代替を本発明の範囲内で行い得る。図面に描写する１つ又はそれよりも多くのの素子を、より分離した或いはより一体的な方法において実施し得るし、特定の場合には、特定の用途に従って有用であるように、除去したり動作不能にさせたりし得る。ここに記載する発明着想の範囲内で並びにここに詳説する例示的な実施態様内で多くの様々な異なる実施態様を行い得るので、ここにおける詳細は、例示的なものとして解釈されるべきであり、本発明をここに例示し且つ記載するものに限定するものとして解釈されてはならない。
【００１０】
例示的な実施態様の詳細な記載において使用する「上方」、「下方」、「後方」、「前方」、「横断方向」、「直角」、「垂直」、「水平」、「長さ」、「高さ」、「幅」、「横方向」、「近位」、「遠位」等のような様々な方向は、図面と共に、より容易な説明のためにのみ行われている。本発明の着想を具現するここに詳細に記載する例示的な実施態様と同じ機能を行い且つ同じ結果を達成しながら、構成部品を異なって方向付け得る。そのような用語はそれらの実施態様が例示する着想を制限するものとして理解されてはならない。
【００１１】
ここにおいて使用するとき、請求項及び／又は明細書中の「含む」（又は類義語の「有する」又は「包含する」）と共に使用されるときの単数形(“a”又は”an”)の使用は、「１つ」を意味し得るが、それは「１つ又はそれよりも多くの」、「少なくとも１つの」、及び「１つ又は１よりも多くの」の意味とも一致する。
【００１２】
加えて、ここにおいて使用するとき、「（〜）への接続」又は「（〜）に接続され」という成句は、直接的に或いは中間構成部品を通じて連結されることを意味する。「地面」(“ground”)という用語は、改良物が構築される表面又は床を意味する。「建造物」(“construction”)は、地上又は地中に建造される如何なる改良物であってもよい。ここに記載する実施態様において、例示的な建造物は、無制限に、地面より上の高さに通気窓を収容する建物(building)や、海岸線に沿って並ぶ防水壁のような壁であり、その普通は露出される部分は、普通は水体(body of water)によって浸される防水壁の水側で地面から離間している（もし潮の干満があるならば、低い潮汐を除く）。水体は、例えば、小川、運河、川、池、湖、入江、湾、又は海であり得る。
【００１３】
図１乃至１０及び図１１乃至１８を参照すると、ある建造物のための自動作動洪水防護ユニット２０の例示的な実施態様を例示している。図１乃至１０は、洪水防護ユニット２０の実施態様を例示し、連続して配置されるとき、上昇する水体に対する海岸線防御をもたらすために洪水防護ユニット２０を使用し得る。例示的な実施態様は、建造物「Ｃ」、例えば、水体「Ｗ」の海岸線で海岸「Ｓ」に沿って並ぶ低い壁（ここでは、防水壁）での据付けのためであり（且つ、ここでは、据え付けられた状態で示されている）。図１１乃至１８は、自動作動洪水防護ユニット２０のある例示的な実施態様の他の使用、即ち、例えば、海岸線の直ぐ付近ではない土地を浸す暴風雨のうねりからの洪水に起因するような或いは暴風雨下水管又は表面排水が圧倒されるときの熱帯暴風雨の間の表面水の蓄積の持続的な上昇に起因するような水の侵入に対する、ある建造物の垂直壁「Ｃ」の通気窓のような開口「Ｏ」を防護する据付けのための使用を示している。
【００１４】
図３乃至５、及び、特に図１１を参照すると、浮揚性のゲート２２が、近位側又は近位端２１にある基部と、遠位側又は遠位端２３にある頂部と、横方向側部２５，２７と、近位端２１から遠位端２３までの高さ２９と、横方向側部の間の幅３１とを有する。ゲート２２は、浮揚性の材料を含み、例えば、ゲート２２は、図５、７乃至１０、１４、１５、１６、１７Ｂ、１８の断面図中に参照番号１９で示すような、並んで配置される複数の封止チューブ又は２つの剛性パネルの間に封止的に配置される蜂の巣コア構造を含み得る。代替的に、ゲート２２は、浮揚材料のための嚢(bladder)を含み得る。
【００１５】
第１の垂直境界壁２４が、例えば、壁の一方の端部で外向きに折り返されたフランジ２４Ｌによって、建造物への接続のために適合される。第２の垂直境界壁２６が、ゲート２２の幅を収容するのに少なくとも十分な距離で第１の境界壁２４から離間させられる、第２の境界壁２６のある端部で外向きに折り返されたフランジ２６Ｌによって、建造物への接続のために同様に適合される。
【００１６】
描写されるように、第２の境界壁２６は、ゲート２２の各横方向側部２５，２７と隣接する境界壁２４，２６との間に間隙３３をもたらすのに十分なゲート２２の幅３１よりも広い距離で、第１の垂直境界壁２４から離間させられ、間隙３３は、間隙３３を封止するための（以下に記載する）可撓リップ封止ガスケット２８の収容に適している。
【００１７】
水体「Ｗ」の海岸の海岸線「Ｓ」に隣接する建造物での据付けのための（並びに据え付けられて示された）図１、２、及び３に描写するある実施態様では、連続的な組の洪水防護ユニット２０，２０’が利用され、そこでは、１つの垂直境界壁２４が、第１の端壁をその連続にもたらし、他の境界壁２４’が、第２壁をその連続にもたらし、少なくとも１つの中間境界壁２６が端壁２４，２４’の間に配置される。第１の端部ゲート２２が、第１の端壁２４と隣の隣接する中間境界壁２６との間に配置され、第２の端部ゲート２２’が第２の端壁２４’と隣の隣接する中間境界壁２６との間に配置される。境界壁２６は、洪水防護ユニット２０，２０’に共通であり、第１の端部ゲート２２及び第２の端部ゲート２２’の両方の目的に適う。この配置を連続組(continuous series)と呼ぶ。
【００１８】
図１及び２に示す実施態様は、２つの洪水防護ユニット２０だけを並べて示している。これらは並んで接続される多数の反復するそのようなユニットの例である。図１及び２中に示す端部境界壁２４，２４’の片側又は両側に端と端とを接続して一連のユニット２０を配置することは、２つの初期的な端部境界壁２４，２４’の少なくとも一方を、中間境界壁２６’に変換し、多数のユニット２０を共に追加した後、最終的には、ユニット２０を終端させるために（端部のみから構築される）端部境界壁２４又は２４’或いは（両端部から構築される）端部境界壁２４及び２４’を終端させる。よって、「隣の隣接する境界壁」２６は、海岸線を防御するために並んで配置される一連の連続における、洪水防御ユニット内の１つ又はそれよりも多くの境界壁２６，２６’等、中間終端壁２４，２４’を指し、更に、ゲート２２は、隣接する中間境界壁２６，２６’の間に並びに終端境界壁２４又は２４と隣の隣接する中間境界壁２６又は２６’との間に介装される。
【００１９】
図４を参照すると、洪水に対する防御として洪水防護ユニット２０を連続で配置する前記の方法に関する変形を描写している。この実施態様では、共通の境界壁はない。各々の隣接する洪水防護ユニット２０は、完全な組の境界壁２４，２６を有する。この配置を隣接組(contiguous series)と呼ぶ。よって、複数の洪水防護ユニット２０が、並んで配置される隣接組の前記ユニットを含み、そこでは、隣の隣接するユニットの隣の隣接する境界壁、例えば、ユニット２０の境界壁２６と隣の隣接するユニット２０’の隣の隣接する境界壁２４’とは、海岸に沿って並ぶ建造物「Ｃ」から立ち上がるライザ(riser)５５に接続される。ライザは、隣接する壁２６，２４’の間で上昇する水を遮る。
【００２０】
向きに関して図６及び１２を特に参照し、詳細に関して図８及び１７Ｂを参照し、水平から垂直へのゲート２２の配置の変化の描写に関して図９、１０、１６、及び１８を参照すると、旋回部材が、建造物「Ｃ」への接続のために適合される静止部材３２と、境界壁２４，２６に対して垂直な水平軸３６で静止部材３２に移動可能に連結される可動部材３４とを含む。可動部材３４は、ゲート２２の近位側２１に接続され、軸３６について旋回可能である。接続され且つ連結される旋回部材３２，３４は、ゲート２２の旋回のために普通は浸水される地面「Ｇ」（図１、８、９、１０、１３、１５、及び１７を参照）から離間する選択的な高さでゲート２２の近位側２１を配置し、高さ「Ｅ」より上の水「Ｗ」の上昇でゲート２２の遠位端２３を上向きに揺動させる。
【００２１】
ゲート２２を高さ「Ｅ」より上に浮揚させるのに十分な水「Ｗ」の上昇に基づきゲートは浮揚させられ、上昇する水の力（静水圧力）によって、旋回軸３６について上向きに回転させられる。ゲート２２が４５度を越えて回転する前に、益々の静水圧力がゲートを「持ち上げる」。４５度の後、益々の静水圧力がゲート２２の背面を押して、それを閉じる。その結果は、連続的なカーブ（円弧）の力であり、それは、先ず、ゲートを旋回軸３６に対して押圧する重力に抗して、部分的に上昇した位置においてゲートを均衡させ、最後には、ゲートの全高の約１／３〜１／２の高さで、ゲートの重さを克服し、ゲートを押して完全に閉塞させる。ゲートの全高、配置、及び大きさは、「回転地点」を力のカーブの上又は下に移動させる。水位が沈み、重力の力が引き継いでゲートを下げるまで、ゲート閉塞は静水圧力の押圧によって維持される。
【００２２】
向きに関して特に図５及び１２を参照し、以下の更なる詳細としての詳細に関して図７及び１５を参照すると、ゲート２２の横方向側部２５，２７の長さに沿う可撓なリップ封止ガスケット(lip seal gasket)２８は、間隙３３を封止するよう境界壁２４，２６を封止的に拭う(wipe)のに十分な幅を有する。描写される実施態様はリップ封止ガスケット２８を含むが、それらを省略し得る。（ゲート２２が完全に上昇させられる）完全洪水では、境界壁を拭い且つ封止するガスケット２８の存在がないならば、水の僅かな垂直の薄片（スライス）が、ゲートの全面に亘って拒絶される極めて大きな水平方向の水の質量に対して、ゲートの各々の横方向縁部に存在する。ゲートの全幅に依存して、海岸への水の流れの減少は、境界壁に隣接するゲートの縁部にある縁を通じて流れる水の小さな薄片（スライス）よりも大きな大きさのオーダにある。海岸線の保護のために、ゲートの縁でのそのような「漏れ」は、ゲートによって遮られる水の大きな質量に比べて些細である。よって、リップ封止が時間の経過と共に劣化させられるならば、あるいは、そもそも存在しないとしても、ゲートによって防護される最も大きな改良は、十分に保護される。
【００２３】
向きに関して図６及び１２を特に参照し、以下に記載する更なる詳細に関して図１３及び１７Ｂを参照すると、可撓なストリップガスケット(strip gasket)３８が、旋回部材３２，３４に横断して亘るゲート２４の近位側２１でのゲート２２の幅３１に沿う。ストリップガスケット（条片ガスケット）３８は、建造物「Ｃ」とゲート２２の近位側２１との間の水の通過を阻止し、リップガスケット２８は、ゲート２２を境界壁２４，２６の間で旋回軸部材３２について回転的に上向きに浮揚させるよう水が高さ「Ｅ」より十分に上に上昇するとき、間隙３３を通じる水の通過を阻止する。
【００２４】
水体「Ｗ」の海岸「Ｓ」の海岸線に隣接する建造物「Ｃ」での据付けのために適合される（据え付けられた状態で示される）実施態様の例における図１、３、９、及び１０を特に参照し、建造物の垂直壁における通気窓のような開口を保護する据付けのための実施態様の例における図１３、１６、及び１７Ａを参照すると、ゲート２２が高さ「Ｅ」より上に上向きに回転的に上昇させられるとき、ゲート２２に対して作用する抑制体(restraint)４０は、ゲート２２が所定の程度よりも軸３６について回転するのを防止する。図示の実施態様において、所定の程度は垂直であるが、一部の据付けでは、垂直も多い又は少ないものを許容し得る。図１、３、９、及び１０に示す実施態様において、抑制体４０は、例えばパイリング（杭打ち）によって、水体「Ｗ」の下で浸水される地面「Ｇ」に固定される、チェーン又はケーブルのような張力部材である。任意的に、張力部材の代わりに、抑制体４０は、水平軸３６より上のある距離で建造物「Ｃ」のライザ５５に接続される、（図１、３、及び５に破線で示す）水平方向ストリンガ(stringer)４０’であってもよく、ゲート２２が実質的に垂直な向きに回転するのを可能にする。
【００２５】
海岸線防御のための実施態様における図３、４、６、９、及び１０を参照し、地面から離間した高さにある開口内への水の侵入を防止するための図１１、１２、１６、１７Ａ、及び１８を参照すると、任意的な筋交い(brace)３９が、水平軸３６から遠位の壁の足部で、対にされた境界壁２４，２６に横断して亘っている。ゲート２２は、任意的に、遠位頂端部２３にＬ形状のフランジ８５を含む。休止時、図１、５、及び９に示す据付けにあるゲート２２は、水の上に浮かぶ。水位「Ｗ」が降下すると、ゲート２２の遠位頂端部２３は降下して浸り、遠位端部２３の降下を停止し且つゲートを支持する筋交い（ブレース）は不要である。同様に、図１１の実施態様（以下参照）は、ゲート２２を地面「Ｇ」と同じ高さに維持するよう停止する必要がない。それは垂れ下がり、依然として機能し、水が地面「Ｇ」から上昇するときに上向きに浮揚して、ゲート頂端部２３に達する。しかしながら、筋交い３９は、両方の実施態様において、対にされる境界壁２４，２６の平行な向き及び間隙３３の隙間を維持するのに有用である。任意的なフランジ８５は、ゲート２２の前面をストリンガ４０’に接触させるよりもむしろ、図１乃至１０の実施態様における任意的な水平ストリンガ４０’と接触するための拡張ゲート表面をもたらす。図１１乃至１８の実施態様において、任意的なフランジ８５は、水平な上方フレーム部材４２及びその被支持圧縮ガスケット９２と接触するよう使用し得る表面をもたらす（図１７Ａ）。任意的な筋交い３９を使用するならば、ゲート２２が休止時に通常位置にあるときに、フランジ８５は筋交い３９の上に位置し得る（図１６）。
【００２６】
隣接する水体から上昇する水に対する海岸防御に加えて、海岸線に据え付けられる洪水防護ユニット２０は、休止時に二重の努めをもたらす。即ち、それは素晴らしい釣り桟橋及びダイビングプラットフォームを作成する。この意味で、筋交い３９及びフランジ８５はユニット２０の一部として有利に含められ、水辺でのゲートの娯楽的な使用のためにゲート及びゲート上の人々のための支持を追加する。
【００２７】
実施態様の前記の一般的な記載を図１乃至１０及び図１１乃至１８に示す実施態様のより詳細な記載によって補足する。一部の詳細は既に十分に説明されており、反復しない。
【００２８】
図１乃至１０を今や参照すると、一連の連続的な自動作動洪水防護ユニット２０，２０’が、海岸に沿って並ぶ防水壁建造物「Ｃ」より上の隣接する水体「Ｗ」の上昇に基づく洪水から海岸「Ｓ」を保護するために据え付けられている。各々のユニットは、近位側部２１と、遠位側部２３と、横方向側部２５及び２７と、近位側部２１から遠位側部２３までの高さ２９と、横方向側部２５，２７の間の幅３１とを含む。第１の垂直境界壁２４が、フランジ２４で、締結具３５によって防水壁建造物「Ｃ」に直接的に接続されている。第２の垂直境界壁２６が、ゲート２２の各々の横方向側部２５及び２７と隣接する境界壁２４又は２６との間の間隙３３をもたらすゲート２２の幅３１よりも広い距離だけ第１の垂直境界壁２４から離間して、フランジ２６Ｌで、締結具３７によって防水壁建造物「Ｃ」に直接的に接続されており、間隙３３は、間隙３３を封止する可撓なリップ封止ガスケット２８の収容に適している。
【００２９】
図８を特に参照すると、水平なＬ形状のフレーム部材４２が、垂直脚４１によって、建造物防水壁「Ｃ」に取り付けられている。ゲート２２の幅と同じ長さを有する第１のＬ形状フランジ４４が、フランジ４４の垂直脚４３によって、フレーム部材４２の垂直脚４１に取り付けられている。ゲート２２の幅と同じ高さを同様に有する第２のＬ形状フランジ４６が、第２のフランジの垂直脚４５で、ゲート２２の基部又は近位端部２１に取り付けられている。可撓なストリップガスケット３８が、Ｌ形状フランジ部材４４，４６の長さに沿って、Ｌ形状フランジ部材４４，４６の夫々の水平脚部４７，４９に亘って配置されている。ゲート２２の幅と同じ長さを有する第１の平坦バンド５０が、フランジ４４の水平方向脚部４７の上に軸方向にストリップ３８を覆って配置されている。ネジ山付き締結具４８が、第１の平坦バンド５０、ストリップ３８、及び第１のＬ形状フランジ４４の水平脚部４７内の通路を連続的に通じて通り、そこから、穿孔付き及びタップ付きの固定旋回部材３２（１つ又は１つよりも多くの旋回部材３２）に至ることで、ストリップ３８及び固定旋回部材３２をその垂直脚４３で水平Ｌ形状フレーム部材４２の垂直脚４１に取り付けられる第１のＬ形状フランジ４４の水平脚部４７に締結し、それによって、ストリップ３８及び旋回部材３２を水平Ｌ形状フレーム部材４２に固定する。ゲート２２の幅と同じ長さを有する第２の平坦バンド５４が、Ｌ形状フランジ４６の水平脚部４９の上に軸方向にストリップ３８を覆って配置されている。ネジ山付き締結具５２が、第２の平坦バンド５４、ストリップ３８、及び第２のＬ形状フランジ４６の水平脚部４９内の通路を連続的に通じて通り、そこから、穿孔付き及びタップ付きの移動可能な旋回部材３４（１つ又はそれよりも多くの旋回部材）に至ることで、移動可能な旋回部材３４を第２のＬ形状フランジ４６の水平脚部４９に取り付け、ストリップ３８及び移動可能な旋回部材３４をその垂直脚４５でゲート２２の近位側部２１に取り付けられる第２のＬ形状フランジ４６の水平脚部４９に固定し、それによって、ストリップ３８及び旋回部材３２をゲート２２に固定する。移動可能な旋回部材３４は、境界壁２４，２６に対して垂直な水平軸３６について旋回可能な固定部材３２に移動可能に連結される。
【００３０】
図８、９、及び１０を特に参照すると、水平なＬ形状フレーム部材４２とゲート２２の近位側部２１に取り付けられる第２のＬ形状フランジ４６に連結される第１のＬ形状フランジ４４とを介した建造物「Ｃ」への旋回部材３２，３４の接続は、高さ「Ｅ」より上の水の上昇で境界壁２４，２６の間でゲート２２を軸３６について回転的に上向きに旋回させてゲート２２を浮揚的に持ち上げるために、ゲート２２の近位側部２１を、防水壁建造物「Ｃ」の水側で、境界壁２４，２６の間で、普通は浸水される地面「Ｇ」から離間した選択的な高さ「Ｅ」に位置付ける。
【００３１】
図５及び７を特に参照すると、ゲート２２の横方向側部２５の長さと同じ長さを有する第３のＬ形状フランジ５６が、ゲート２２の側部２５に取り付けられる垂直脚５１を有する。可撓なＬ形状リップ封止ガスケット２８の本体部分５８が、フランジ５６の長さに沿って、第３のＬ形状フランジ５６の水平脚５３の上に位置付けられ、ガスケット２８の遠位拭取りリップ部分６０は、防水壁建造物「Ｃ」から離れる方向に向けられ、遠位部分６０の横方向の拡張に沿って境界壁２６と接触する。リップ封止ガスケット２８と同じ長さの保護ガスケット６２が、ガスケット２８を覆って長手方向に位置付けられている。ガスケット２８と同じ長さを有する第３の平坦バンド６４が、第３のフランジ５６の水平脚５３上でガスケット２８の本体５８の上に長手方向に、保護ガスケット６２を覆って配置されている。ネジ山付き締結具６６が、第３の平坦バンド６４及びガスケット２８の本体５８内の通路を連続的に通じて通り、第３のＬ形状フランジ５６の穿孔付き及びタップ付きの水平脚５３に至ることで、フランジ５６を介してガスケット２８をゲート２２の横方向側部２３に接続し、境界壁２６を封止的に拭い、側部２５に隣接する間隙３３を封止し、間隙３３を通じる水の通過を阻止する。
【００３２】
ゲート２２の側部２７の上に封止ガスケット２８を固定するための素子及び構成は、ゲート２２の側部２５の上にガスケット２８を固定するための素子及び構成と同じであり、図面中に同じ詳細が見える場合には、同じ参照番号を使用する。
【００３３】
図１、５、９、及び１０を参照すると、ゲート２２が高さ「Ｅ」より上向きに旋回されるときに、ゲート２２が、垂直に描写されるように、所定の程度よりも軸３６について回転するのを防止するようゲート２２に対して作用するために、一端部でゲート２２の背面７２に接続される張力部材４０が、反対端部で、地面Ｇ中に沈められたパイリング７４に固着されている。
【００３４】
図１及び２を参照すると、一連の隣接する洪水防護ユニットは、第１の端部垂直境界壁２６と、第２の端部垂直境界壁２４と、端壁２６，２６’の中間に配置される少なくとも１つの垂直境界壁とを含む。第１の端部ゲート２２が、第１の端壁２６と隣の隣接する中間境界壁２４との間に配置され、第２の端部ゲート２２’が、第２の端壁２６’と隣の隣接する境界壁２４との間に配置されている。
【００３５】
図１１乃至１８を今や参照すると、建造物「Ｃ」の垂直壁内の地面「Ｇ」から離間する開口「Ｏ」を通じて上昇する表面水の進入を拒絶するための、自動作動洪水ガード２０のある例示的な実施態様を描写している。開口「Ｏ」は、幅と、底部５９、横方向側部６１，６３、及び頂部６５を含む限定的な縁とを有する。例示において、開口「Ｏ」は、固定下方傾斜スラット（羽根板）によって形成される固定ルーバによって普通に落下する雨からの水の進入から保護された開放窓である。保護は洪水ガード２０によってもたらされ、それは、基部２１と、横方向側部２５，２７と、頂部２３と、背面７２と、前面７６とを有する浮揚ゲート２２を含み、開口「Ｏ」に近接して垂直に位置付けられるときに開口「Ｏ」を閉塞するのに十分な側部から側部までの幅と基部から頂部までの高さとを有し、記載するガスケットの配置によって開口「Ｏ」を水浸入から封止する。
【００３６】
図１１、１３、１４、及び１７Ｂを特に参照すると、この実施態様ではＺ形状の一対の離間した垂直フレーム部材７８，８０が、それらの下方水平脚６９，７１で、締結具８２によって、開口「Ｏ」の横方向側部６１，６３に隣接する建造物「Ｃ」に接続されている。Ｚフレーム７８，８０の直立部７３，７５は、それぞれの下方水平脚６９，７１に対して垂直であり、「Ｚ形状」という用語が示唆し得る鋭角ではない。細長い垂直な圧縮ガスケット８４，８６は、垂直なＺフレーム７８，８０の上方垂直脚７７，７９にそれぞれ支持され且つ固定される。この実施態様では同様にＺ形状である上方水平フレーム部材８８が、その下方水平脚８１で、締結具９０によって、開口「Ｏ」の頂部６５より上で建造物「Ｃ」に接続されている。細長い水平な圧縮ガスケット９２が、Ｚフレーム８８の上方水平脚８３に支持され且つ固定されている。
【００３７】
図１１、１２、及び１４を特に参照すると、第２の垂直境界壁２６が、直立部７５と水平上方脚７９との接合部で第２の垂直なＺフレーム部材８０に接続され、それによって、開口「Ｏ」の横方向側部６１に隣接する建造物「Ｃ」に接続されている。第１の垂直な境界壁２４が、（第１の垂直なＺフレーム部材７８によって直立部７３と水平上方脚７７との間の接合部で）建造物「Ｃ」に同様に接続され、ゲート２２の幅よりも広い幅だけ第２の垂直な境界壁２６から離間し、ゲート２２の各横方向側部２５，２７と隣接する境界壁２４又は２６との間に間隙をもたらし、その間隙は、間隙を封止するための可撓なリップ封止ガスケット２８の収容に適している。
【００３８】
図１６及び１７Ａを特に参照すると、水平なＬ形状フレーム部材４２が、垂直脚４１によって、建造物防水壁「Ｃ」に取り付けられている。ゲート２２の幅と同じ高さを有する第１のＬ形状フレーム４４が、フランジ４４の垂直脚４３によって、フレーム部材４２の垂直脚４１に取り付けられている。ゲート２２の幅と同じ高さを同様に有する第２のＬ形状フランジ４６が、第２のフランジ垂直脚４５で、ゲート２２の基部又は近位端部２１に取り付けられている。可撓なストリップガスケット３８が、Ｌ形状フランジ部材４４，４６の長さに沿って、Ｌ形状フランジ部材４４，４６の夫々の水平脚４７，４９を覆って配置されている。ゲート２２の幅と同じ長さを有する第１の平坦バンド５０が、フランジ４４の水平脚４７の上に長手方向にストリップ３８を覆って配置されている。ネジ山付き締結具４８が、第１の平坦バンド５０、ストリップ３８、及び第１のＬ形状フランジ４４の水平脚４７内の通路を連続的に通じて通り、そこから、穿孔付き及びタップ付きの固定旋回部材３２（１つ又は１つよりも多くの部材３２）内に至ることで、ストリップ３８及び固定旋回部材３２をその垂直脚４３で水平Ｌ形状フレーム部材４２の垂直脚４１に取り付けられる第１のＬ形状フランジ４４の水平脚４７に締結し、それによって、ストリップ３８及び旋回部材３２を水平Ｌ形状フレーム部材４２に固定する。ゲート２２の幅と同じ長さを有する第２の平坦バンド５４が、Ｌ形状フランジ４６の水平脚４９の上に長手方向にストリップ３８を覆って配置されている。ネジ山付き締結具５２が、第２の平坦バンド５４、ストリップ３８、第２のＬ形状フランジ４６の水平脚４９内の通路を連続的に通じて通り、そこから、穿孔付き及びタップ付きの移動可能な旋回部材３４（１つ又は１つよりも多くの旋回部材）内に至ることで、移動可能な旋回部材３４を第２のＬ形状フランジ４６の水平脚４９に取り付け、ストリップ３８及び移動可能な旋回部材３４をその垂直脚４５でゲート２２の近位側部２１に取り付けられる第２のＬ形状フランジ４６の水平脚４９に固定し、それによって、ストリップ３８及び旋回部材３２をゲート２２に固定する。移動可能な旋回部材３４は、境界壁２４，２６に対して垂直な水平軸３６について旋回可能な固定部材３２に移動可能に連結される。
【００３９】
図１６及び１７Ｂを特に参照すると、水平Ｌ形状フレーム部材４２とゲート２２の近位側部２１に取り付けられた第２のＬ形状フランジ４６に連結された第１のＬ形状フランジとを介した建造物「Ｃ」への旋回部材３２，３４の接続は、高さ「Ｅ」より上の水の上昇で境界壁２４，２６の間でゲート２２を軸３６について回転的に上向きに旋回させてゲート２２を浮揚的に持ち上げるために、ゲート２２の近位側部２１を、境界壁２４，２６の間で、地面「Ｇ」（ここでは地上「Ｇ」）から離間する選択的な高さ「Ｅ」に配置する。
【００４０】
図１２、１４、１５、１６、及び１７Ｂを参照すると、ゲート２２の横方向側部２５の長さと同じ長さを有する第３のＬ形状フランジ５６が、ゲート２２の側部２５に取り付けられた垂直脚５１を有する。可撓なＬ形状リップ封止ガスケット２８の本体部分５８は、第３のＬ形状フランジ５６の長さに沿って、第３のＬ形状フランジ５６の水平脚５３の上に位置付けられ、ガスケット２８の遠位拭取りリップ部分６０は、防水壁建造物「Ｃ」から離れる方向に向けられ、遠位部分６０の横方向の拡張に沿って境界壁２６と接触する。リップ封止ガスケット２８と同じ長さの保護ガスケット６２が、ガスケット２８を覆って長手方向に配置されている。ガスケット２８と同じ長さを有する第３の平坦バンド６４が、第３のフランジ５６の水平脚５３の繪でガスケット２８の本体５８の上に長手方向に保護ガスケット６２を覆って配置されている。ネジ山付き締結具６６が、第３の平坦バンド６４及びガスケットの本体５８内の通路を連続的に通じて通り、第３のＬ形状フランジ５６の穿孔付き及びタップ付き水平脚５３に至ることで、フランジ５６を介してガスケット２８をゲート２２の横方向側部２５に接続し、境界壁２６を封止的に拭い取り、側部２５に隣接する間隙３３を封止し、その間隙３３を通じる水の通過を阻止する。
【００４１】
ゲート２２の横方向側部２７の長さと同じ長さを有する第４のＬ形状フランジ６８が、ゲート２２の側部２７に取り付けられる垂直脚を有する。側部２５のためと同様に、可撓なＬ形状リップ封止ガスケット２８の本体部分が、フランジ６８の長さに沿って第４のＬ形状フランジ６８の上に位置付けられ、ガスケット２８の遠位拭取りリップ部分は、防水壁建造物「Ｃ」から離れる方向に向けられ、遠位部分６０の幅に沿って境界壁と接触する。側部２５のための同様に、保護ガスケットがリップ封止ガスケット２８を覆って位置付けられ、締結具７０が、第４の平坦バンド７２及びガスケット２８の本体内の通路を通じて通り、穿孔付き及びタップ付きの第４のＬ形状フランジ６８に至ることで、第４のフランジ６８を介してガスケット２８をゲート２２の横方向側部２７に接続し、境界壁２４を封止的に拭い、側部２７に隣接する間隙３３を封止し、その間隙３３を通じる水の通過を阻止する。
【００４２】
水が地面「Ｇ」から離間した高さ「Ｅ」より十分に上に上昇して、ゲート２２を旋回軸３６について回転的に上向きに開口「Ｏ」に向かって浮揚させるとき、リップガスケット２８及びストリップガスケット３８は協働して、ゲート２２と境界壁２４，２６と下方水平フレーム部材４２との間の開口「Ｏ」内への水の進入を防止する。ゲート２２の背面７６に対する静水力が垂直圧縮ガスケット８４，８６及び水平圧縮ガスケット９２に抗してゲート２２を押すのに効果的であるとき、垂直圧縮ガスケット８４，８６及び水平圧縮ガスケット９２は、ストリップガスケット３８及びリップガスケット２８と協働して、水の進入を防止する。
【００４３】
図１１乃至１７Ｂの実施態様は、開口が地面より上にある建造物における地面から離間した開口の保護を例示しているが、開口が完全に地面より上にあることは必要とされない。建造物中で当初は地面より上にある通気開口は、時折、時間の経過と共に、地理的事象の故に或いは景観設計のような進行中の建造又は道路の上昇によって、地面より部分的に下になり得るが、ここに記載する本発明によって依然として保護可能である。例えば、図１１乃至１７Ｂの通気窓を地面又は通常の表面水位線より部分的に下に想像し得る。よって、通気窓が表面水位線の通常の高さより部分的に下にある建造物に取り付けられる図１１乃至１７Ｂに描写される実施態様は、水中で常に部分的に上昇させられるゲート２２を有し、（ゲートの側部から見るときに）楔形状の空気空間を創成し、そこでは、楔の底部は通常の水線であり、楔の垂直側は通気窓開口であり、楔の頂部は空気に対して開放されている。そのような用途において、高さ「Ｅ」より上への水の上昇で境界壁２４，２６の間でゲート２２を軸３６について回転的に上向きに旋回させて、ゲート２２を浮揚的に持ち上げるために、水平Ｌ形状フレーム部材４２とゲート２２の近位側部２１に取り付けられる第２のＬ形状フランジ４６に連結される第１のＬ形状フランジ４４とを介した建造物「Ｃ」への旋回部材３２，３４の接続は、ゲート２２の近位側部２１を、地面「Ｇ」（ここでは部分的に地下「Ｇ」）から選択的な高さ「Ｅ」で、境界壁２４，２６の間に配置する。
【００４４】
前述の詳細は、洪水の水に対して防御する既述の素子の組み合わせの使用を例示し、そこでは、防御されるべきものは地面から離間した高さにある。詳細な記載の初めに説明したように、１つの実施態様中に示す素子を他の実施態様において使用し得る。例えば、窓保護ユニット実施態様における垂直圧縮ガスケットを海岸保護ユニット２０において使用し得るし、海岸保護ユニット２０において使用される素子は窓保護ユニットにおいて使用し得る。開示される主題は例示的である考えられるべきであり、限定的であると考えられるべきではない。付属の請求項は、全ての変形、改良、及び、本発明の真正な範囲内に入る他の実施態様をカバーすることが意図され、本発明の真正な範囲は、法律によって許容される最大の範囲まで、本発明の例示的な実施態様の前述の詳細な記載によって制約されず或いは制限される、以下の請求項及びそれらの均等物の最広義の許容可能な解釈によって決定される。
【図１】
2013534282.tif 000003
【図２】
2013534282.tif 000004
【図３】
2013534282.tif 000005
【図４】
2013534282.tif 000006
【図５】
2013534282.tif 000007
【図６】
2013534282.tif 000008
【図７】
2013534282.tif 000009
【図８】
2013534282.tif 000010
【図９】
2013534282.tif 000011
【図１０】
2013534282.tif 000012
【図１１】
2013534282.tif 000013
【図１２】
2013534282.tif 000014
【図１３】
2013534282.tif 000015
【図１４】
2013534282.tif 000016
【図１５】
2013534282.tif 000017
【図１６】
2013534282.tif 000018
【図１７Ａ】
2013534282.tif 000019
【図１７Ｂ】
2013534282.tif 000020
【図１８】
2013534282.tif 000021
【国際調査報告】
2013534282.tif 000022